(57)【要約】【課題】バックラッシや部材相互間でのガタツキがない角度調整機構を提案する。【解決手段】回動可能に保持されたリング（２）の回動角度を微調整する角度調整機構を、スプリングを介して弾性支持され前記リングの縁部でその接線方向に沿う押圧力を付与して該リングを回動させて回動角度を変更する押圧チップ（３）と、枢軸（Ｐ）を介して揺動可能に保持され押圧チップ（３）の先端に当接して該リング（２）の回動を規制するストッパー（４）と、このストッパー（４）を揺動させて押圧チップ（３）のリング（２）に対する押圧力を増減してリング（２）の回動角度を微調整するロッド（５）にて構成する。【選択図】図１
2006125992.tif 000002
【特許請求の範囲】
【請求項１】
回動可能に保持されたリングの回動角度を微調整する角度調整機構であって、
前記角度調整機構は、スプリングを介して弾性支持され前記リングの縁部でその接線方向に沿う押圧力を付与して該リングを回動させて回動角度を変更する押圧チップと、枢軸を介して揺動可能に保持され押圧チップの先端に当接して該リングの回動を規制するストッパーと、このストッパーを揺動させて押圧チップのリングに対する押圧力を増減してリングの回動角度を微調整するロッドからなる、ことを特徴とする角度調整機構。
【請求項２】
前記ロッドは、リングの回動中心に向けて指向する先端をストッパーに当接させてその時計回り、反時計回りの回動にて進退移動可能としたスクリューロッドからなる、請求項１記載の角度調整機構。
【発明の詳細な説明】
【技術分野】
【０００１】
本発明は、回動可能に支持されたリングの回動角度を微調整するのに適した角度調整機構に関するものである。
【背景技術】
【０００２】
建築や土木の現場で使用される測量器や墨出し器は、その本体部分が基台に対して回転可能に保持された構造になっており、それらの相互間に配置されるリングを本体部分と共に回動させることでその回動角度（本体部分の回転角度）の微調整が行えるようになっている（例えば特許文献１参照）。
【０００３】
【特許文献１】実公平７─２５６１９号公報
【０００４】
ところで、従来の微調整機構は、以下のような問題を有していた。
１．リングの外周に突起が設けられており、この突起を貫くように固定部材を通して操作用摘みのロッドが配置された構造になっているが、摘みと固定部材が近接して配置されている場合に摘みが持ち難く、回動角度を微調整するための操作が容易でない。
２．操作用の摘みを持ちやすくするため摘みを固定部材から離して設置した場合には上記の問題は解消できるものの固定部材の大型化が避けられない。
３．突起を設ける位置によっては、微調整度合いが大きく変化する（突起の位置がリングの回動中心に近いところにではリングの動きが細かく、遠いところでは粗い動きとなる）ことから、突起の設置位置にかかわりなく安定した動きを確保するにはロッドのストロークを変更しなければならず、部材の共用化ができない。
４．摘みを操作してからリングが動くまでの間にラグ（バックラッシ）があり操作感が悪く、また構成部材の相互間にガタがあることから動きが安定しない。
【発明の開示】
【発明が解決しようとする課題】
【０００５】
本発明の課題は、上記のような従来の問題を解消できる新規な角度調整機構を提案するところにある。
【課題を解決するための手段】
【０００６】
本発明は、回動可能に保持されたリングの回動角度を微調整する角度調整機構であって、
前記角度調整機構は、スプリングを介して弾性支持され前記リングの縁部でその接線方向に沿う押圧力を付与して該リングを回動させて回動角度を変更する押圧チップと、枢軸を介して揺動可能に保持され押圧チップの先端に当接して該リングの回動を規制するストッパーと、リングの回動中心に指向する先端を有し該回動中心に接近、離隔する向きへの進退移動により該ストッパーを揺動させて押圧チップのリングに対する押圧力を増減してリングの回動角度を微調整するロッドからなる、ことを特徴とする角度調整機構である。
【０００７】
上記の構成になる角度調整機構において、前記ロッドは、リングの回動中心に向けて指向する先端をストッパーに当接させてその時計回り、反時計回りの回動にて進退移動可能としたスクリューロッドからなるものが有利に適合する。
【発明の効果】
【０００８】
ロッドの進退移動によって揺動させるストッパーと押圧チップは常に弾性的に接触した状態にあるためバックラッシや部材相互間でのガタツキが極めて小さい。
【０００９】
ロッドの先端がリングの回動中心に向けて指向していると、摘みのサイズが小さくても持ち難くなることはないので微調整のための操作が容易となる。
【発明を実施するための最良の形態】
【００１０】
以下、図面を用いて本発明をより具体的に説明する。
図１は本発明に従う角度調整機構の実施の形態の外観斜視図であり、図２はその平面を示した図である。
【００１１】
図における１は三脚を有する基台、２は基台１に回動可能に弾性保持されたリングである。このリング２には図示しないが測量器や墨出し器の本体部分がその上に載置されるようになっており、ばね材（図示せず）により常に一方向（時計回り）に回動させる力が作用している。
【００１２】
また、３はスプリングＳを介して弾性支持されリング２の縁部でその接線方向に沿う凹圧力を付与して該リング２を回動させて回動角度を変更する押圧チップ（押圧チップ３はリング２に固定されていてもよい）、４は枢軸Ｐを介して揺動可能に保持され該押圧チップ３の先端に当接してリング２の回動を規制するストッパー、そして５はストッパー４を揺動させて押圧チップ３のリング２に対する押圧力を増減してリング２の回動角度を微調整するロッド（スクリューロッド等）である。
【００１３】
ロッド５はリング２の回動中心０へ向けて指向する先端５ａがストッパー４に当接しており、その後端の摘み５ｂを把持してロッド５を時計回り、反時計回りに回動させて適宜進退移動させることでストッパー４を揺動させる。
【００１４】
測量器や墨出し器を構成する本体部分はリング２の上に回動可能に載置されており、本体部分の大まかな位置決めは該本体部分を直接把持してリング２の上で回動させることにより行うとともに、大まかな位置決めを行ったのちは摘み５ｂを把持してロッド５を適宜回転させて本体部分が所望の方向へ向くようにストッパー４を揺動させて回動角度の微調整を行う。
【００１５】
図２に示す状態においてロッド５を締め込むと該ロッド５は図３に示すようにリング２の回動中心０に向けて移動しストッパー４が枢軸Ｐを支点に揺動して押圧チップ３を押圧する。この押圧により押圧チップ３のリング２に対する押圧力が減少していくとリング２が時計回りに微動し回動角度が変更されることになる。
【００１６】
スプリング部材等を用いてリング２に時計回りに回動させる力を作用させておく一方で、押圧チップ３によりその回動を阻止するように押圧すると、その相互間におけるガタツキやバックラッシ等はなくなり、リング２をスムーズに微動させることができる。
【００１７】
ストッパー４につき、そのサイズや形状を変更するとロッド５のストロークを一定に保持したままリング２の微動範囲（回動角度の微調整範囲）を変更することが可能となり、微調整機構自体のサイズのコンパクト化も図り得る。
【００１８】
ロッド５は操作性の観点からその先端がリング２の回動中心０に向けて指向する向き（リング２の接線と直交する向き）に配置した場合を例として示したが、本発明にしたがう微調整機構はロッド５の配置を適宜変更することもできる。
【００１９】
リング２は基台１の上に水平に配置してそのリング２を水平面内で回動させる場合の他に垂直に配置して垂直面内で回動させる構造のものにも適用することが可能で図示のものには限定されない。
【産業上の利用可能性】
【００２０】
バックラッシや構成部材相互間においてガタツキがない操作性の良好な角度調整機構が提供できる。
【図面の簡単な説明】
【００２１】
【図１】本発明にしたがう角度調整機構の実施の形態を示した図である。
【図２】図１に示した角度調整機構の平面を示した図である。
【図３】図１に示した角度調整機構の平面を示した図である。
【符号の説明】
【００２２】
１  基台
２  リング
３  押圧チップ
４  ストッパー
５  ロッド
５ａ  先端
５ｂ  摘み
【図１】
2006125992.tif 000003
【図２】
2006125992.tif 000004
【図３】
2006125992.tif 000005